(57)【要約】デバイス間（Ｄ２Ｄ）通信のハンドオーバのための方法及び装置を開示している。一つの方法は、Ｄ２Ｄクラスタの第１のデバイスから、前記第１のデバイスのハンドオーバが必要であることを示す第１の測定結果レポートを受信することと；Ｄ２Ｄハンドオーバ条件に従って、前記第１の測定結果レポートに基づいて、前記ハンドオーバを開始するか、または、延期するかを判断することと；を含むことができる。いくつかの実施形態では、前記Ｄ２Ｄハンドオーバ条件を満たすと、前記第１の測定結果レポートが前記第１のデバイスによって送信される。【選択図】図４
2016513892.tif 000002
【特許請求の範囲】
【請求項１】
デバイス間（Ｄ２Ｄ）クラスタの第１のデバイスから、前記第１のデバイスのハンドオーバが必要であることを示す第１の測定結果レポートを受信することと；
Ｄ２Ｄハンドオーバ条件に従い、前記第１の測定結果レポートに基づいて前記ハンドオーバを開始するか、または、延期するかを判断することと；
を含む、方法。
【請求項２】
請求項１に記載の方法であって、
前記Ｄ２Ｄハンドオーバ条件を満たすと、前記第１の測定結果レポートが前記第１のデバイスによって送信される、方法。
【請求項３】
請求項１及び請求項２のいずれかに記載の方法であって、
前記ハンドオーバを開始することは、少なくとも１つの第２のデバイスの有効な測定結果レポートがない場合、前記Ｄ２Ｄクラスタの少なくとも１つの第２のデバイスからの、少なくとも１つの第２の測定結果レポートを要求することと；
前記第１の測定結果レポートが失効している場合、前記第１のデバイスからの有効な第１の測定結果レポートを要求することと；
所定の基準に従い、前記第１のデバイス及び前記少なくとも１つの第２のデバイスのジョイントハンドオーバのための、最良のターゲットセルまたはターゲット基地局を、少なくとも部分的に、前記有効な第１の測定結果レポート及び前記少なくとも１つの第２の測定結果レポートに基づいて選択することと；
を含む、方法。
【請求項４】
請求項３に記載の方法であって、
前記最良のターゲットセルまたは前記最良のターゲット基地局へのジョイントハンドオーバに失敗すると、前記所定の基準に従って、その次に最良なターゲットセルまたはその次に最良なターゲット基地局を、前記有効な第１の測定結果レポート及び前記少なくとも１つの第２の測定結果レポートに基づいて選択すること
を含む、方法。
【請求項５】
請求項３及び請求項４のいずれかに記載の方法であって、
前記所定の基準は、信号条件と；
前記第１のデバイス及び前記少なくとも１つの第２のデバイスの、セルラーサービス及びＤ２Ｄサービス両方のサービス品質（ＱｏＳ）要件と；
前記第１のデバイス及び前記少なくとも１つの第２のデバイスの、セルラーサービス及びＤ２Ｄサービス両方のサービス優先度と；
のうちの少なくとも１つに基づく、方法。
【請求項６】
請求項１に記載の方法であって、
前記ハンドオーバを延期することは、前記第１のデバイスにメッセージを送信すること、ここで、前記メッセージは、前記第１のデバイスに前記測定結果レポートの送信を制御するように指示する、前記送信すること
を含む、方法。
【請求項７】
請求項６に記載の方法であって、
前記メッセージは、前記測定結果レポートの送信をトリガするための前記Ｄ２Ｄハンドオーバ条件と；
前記測定結果レポートの送信を延期するための遅延時間と；
測定結果レポートの要求と；
のうちの一つまたは複数を含む、方法。
【請求項８】
請求項１から請求項７のいずれかに記載の方法であって、
前記Ｄ２Ｄハンドオーバ条件は、信号強度の閾値、信号品質の閾値、並びにセルラーサービス及びＤ２Ｄサービス両方のサービス品質（ＱｏＳ）要件のうちの少なくとも１つを含む、方法。
【請求項９】
請求項１から請求項８のいずれかに記載の方法であって、
ターゲット基地局またはターゲットセルが、前記Ｄ２Ｄクラスタ内の前記全てのデバイスのセルラーハンドオーバ条件を満たす場合、前記ターゲット基地局または前記ターゲットセルへの前記Ｄ２Ｄクラスタのジョイントハンドオーバを、前記判断に先立って開始することをさらに含む、方法。
【請求項１０】
デバイス間（Ｄ２Ｄ）クラスタの第１のデバイスによって、前記第１のデバイスの移動元基地局に第１の測定結果レポートを送信すること、ここで、前記第１の測定結果レポートは、前記第１のデバイスのハンドオーバが必要であることを示し、前記移動元基地局に、Ｄ２Ｄハンドオーバ条件に従って、前記第１の測定結果レポートに基づいて前記ハンドオーバを開始するか、または、延期するかを判断させる、前記送信すること、
を含む、方法。
【請求項１１】
請求項１０に記載の方法であって、
前記送信することは、前記Ｄ２Ｄハンドオーバ条件を満たすと、前記第１の測定結果レポートを送信することを含む、方法。
【請求項１２】
請求項１０に記載の方法であって、
前記移動元基地局からメッセージを受信すること、ここで、前記メッセージは、前記第１のデバイスに前記測定結果レポートの送信を制御するように指示する、前記受信することを含む、方法。
【請求項１３】
請求項１２に記載の方法であって、
前記メッセージは、前記測定結果レポートの送信をトリガするための前記Ｄ２Ｄハンドオーバ条件と；
前記測定結果レポートの送信を延期するための遅延時間と；
測定結果レポートの要求と；
のうちの一つまたは複数を含む、方法。
【請求項１４】
請求項１０から請求項１３のいずれかに記載の方法であって、
前記移動元基地局から、ターゲットセルまたはターゲット基地局にハンドオーバするハンドオーバ命令を受信すること、ここで、前記ターゲットセルまたは前記ターゲット基地局は、所定の基準に従って、少なくとも部分的に、前記第１の測定結果レポート及び前記Ｄ２Ｄクラスタの少なくとも１つの第２のデバイスから要求された測定結果レポートに基づいて、前記移動元基地局によって選択される、前記受信すること、
をさらに含む、方法。
【請求項１５】
請求項１４に記載の方法であって、
前記所定の基準は、信号条件と；
前記第１のデバイス及び前記少なくとも１つの第２のデバイスの、セルラーサービス及びＤ２Ｄサービス両方のサービス品質（ＱｏＳ）要件と；
前記第１のデバイス及び前記少なくとも１つの第２のデバイスの、セルラーサービス及びＤ２Ｄサービス両方のサービス優先度と；
のうちの少なくとも一つに基づく、方法。
【請求項１６】
セルラーハンドオーバ条件を満たすと、デバイス間（Ｄ２Ｄ）クラスタの第１のデバイスによって、Ｄ２Ｄハンドオーバ条件が満たされているか否かを判断することと；
前記Ｄ２Ｄハンドオーバ条件が満たされていると判断される場合、前記第１のデバイスによって、前記Ｄ２Ｄクラスタの少なくとも１つの第２のデバイスにセル測定命令を送信することと；
を含む方法。
【請求項１７】
請求項１６に記載の方法であって、
前記少なくとも１つの第２のデバイスから、少なくとも１つの第２の測定結果レポートを受信することと；
所定の基準に従い、前記第１のデバイス及び前記少なくとも１つの第２のデバイスのジョイントハンドオーバのための、最良のターゲットセルまたはターゲット基地局を、少なくとも部分的には、前記少なくとも１つの第２の測定結果レポートに基づいて選択することと；
をさらに含む方法。
【請求項１８】
請求項１６に記載の方法であって、
前記最良のターゲットセルまたは前記最良のターゲット基地局へのジョイントハンドオーバに失敗すると、前記所定の基準に従って、その次に最良なターゲットセルまたはその次に最良なターゲット基地局を、前記少なくとも１つの第２の測定結果レポートに基づいて選択することを含む、方法。
【請求項１９】
請求項１７及び請求項１８のいずれかに記載の方法であって、
前記所定の基準は、信号条件と；
前記第１のデバイス及び前記少なくとも１つの第２のデバイスの、セルラーサービス及びＤ２Ｄサービス両方のサービス品質（ＱｏＳ）要件と；
前記第１のデバイス及び前記少なくとも１つの第２のデバイスの、セルラーサービス及びＤ２Ｄサービス両方のサービス優先度と；
のうちの少なくとも一つに基づく、方法。
【請求項２０】
デバイス間（Ｄ２Ｄ）クラスタの第２のデバイスでセル測定命令を受信すること、ここで、前記セル測定命令はＤ２Ｄハンドオーバ条件を満たしているＤ２Ｄクラスタの第１のデバイスによってトリガされる、前記受信することと；
前記セル測定命令に応答して測定結果レポートを送信することと；
を含む、方法。
【請求項２１】
請求項２０に記載の方法であって、
ターゲットセルまたはターゲット基地局にハンドオーバするハンドオーバ命令を受信すること、ここで、前記ターゲットセルまたは前記ターゲット基地局は、所定の基準に従って、少なくとも部分的に、前記第２のデバイスの前記測定結果レポートに基づいて選択される、前記受信すること、
をさらに含む、方法。
【請求項２２】
請求項１９から請求項２１のいずれかに記載の方法であって、
前記セル測定命令は、前記第１のデバイスによって送信される、方法。
【請求項２３】
請求項１９から請求項２１のいずれかに記載の方法であって、
前記セル測定命令は、基地局によって送信される、方法。
【請求項２４】
少なくとも一つのプロセッサと、コンピュータプログラムコードを含む少なくとも一つのメモリとを備える装置であって、前記プログラムコードが、前記少なくとも一つのプロセッサに実行されると、前記装置に、少なくとも、
デバイス間（Ｄ２Ｄ）クラスタの第１のデバイスから、前記第１のデバイスのハンドオーバが必要であることを示す第１の測定結果レポートを受信することと；
Ｄ２Ｄハンドオーバ条件に従い、前記第１の測定結果レポートに基づいて前記ハンドオーバを開始するか、または、延期するかを判断することと；
を遂行させるように構成される、装置。
【請求項２５】
請求項２４に記載の装置であって、
前記Ｄ２Ｄハンドオーバ条件を満たすと、前記第１の測定結果レポートが前記第１のデバイスによって送信される、装置。
【請求項２６】
請求項２４及び請求項２５のいずれかに記載の装置であって、
前記ハンドオーバを開始することは、少なくとも１つの第２のデバイスの有効な測定結果レポートがない場合、前記Ｄ２Ｄクラスタの前記少なくとも１つの第２のデバイスからの、少なくとも１つの第２の測定結果レポートを要求することと；
前記第１の測定結果レポートが失効していた場合、前記第１のデバイスからの有効な第１の測定結果レポートを要求することと；
所定の基準に従い、前記第１のデバイス及び前記少なくとも１つの第２のデバイスのジョイントハンドオーバのための、最良のターゲットセルまたは最良のターゲット基地局を、少なくとも部分的に、前記有効な第１の測定結果レポート及び前記少なくとも１つの第２の測定結果レポートに基づいて選択することと；
を含む装置。
【請求項２７】
請求項２６に記載の装置であって、
前記装置はさらに、前記最良のターゲットセルまたは前記最良のターゲット基地局へのジョイントハンドオーバに失敗すると、前記所定の基準に従って、その次に最良なターゲットセルまたはその次に最良なターゲット基地局を、前記有効な第１の測定結果レポート及び前記少なくとも１つの第２の測定結果レポートに基づいて選択することを遂行させられる、装置。
【請求項２８】
請求項２６及び請求項２７のいずれかに記載の装置であって、
前記所定の基準は、信号条件と；
前記第１のデバイス及び前記少なくとも１つの第２のデバイスの、セルラーサービス及びＤ２Ｄサービス両方のサービス品質（ＱｏＳ）要件と；
前記第１のデバイス及び前記少なくとも１つの第２のデバイスの、セルラーサービス及びＤ２Ｄサービス両方のサービス優先度と；
のうちの少なくとも一つに基づく、装置。
【請求項２９】
請求項２４に記載の装置であって、
前記ハンドオーバを延期することは、前記第１のデバイスにメッセージを送信すること、ここで、前記メッセージは、前記第１のデバイスに前記測定結果レポートの送信を制御するように指示する、前記送信すること
を含む、装置。
【請求項３０】
請求項２９に記載の装置であって、
前記メッセージは、前記測定結果レポートの送信をトリガするための前記Ｄ２Ｄハンドオーバ条件と；
前記測定結果レポートの送信を延期するための遅延時間と；
測定結果レポートの要求と；
のうちの一つまたは複数を含む、装置。
【請求項３１】
請求項２４から請求項３０のいずれかに記載の装置であって、
前記Ｄ２Ｄハンドオーバ条件は、信号強度の閾値、信号品質の閾値、並びにセルラーサービス及びＤ２Ｄサービス両方のサービス品質（ＱｏＳ）要件のうちの少なくとも１つを含む、装置。
【請求項３２】
請求項２４から請求項３１のいずれかに記載の装置であって、
ターゲット基地局またはターゲットセルが、前記Ｄ２Ｄクラスタ内の前記全てのデバイスのセルラーハンドオーバ条件を満たす場合、
前記ターゲット基地局または前記ターゲットセルへの前記Ｄ２Ｄクラスタのジョイントハンドオーバを、前記判断に先立って開始することをさらに遂行させられる、装置。
【請求項３３】
少なくとも一つのプロセッサと、コンピュータプログラムコードを含む少なくとも一つのメモリとを備える装置であって、前記プログラムコードが、前記少なくとも一つのプロセッサに実行されると、前記装置に、少なくとも、
デバイス間（Ｄ２Ｄ）クラスタの第１のデバイスによって、前記第１のデバイスの移動元基地局に第１の測定結果レポートを送信すること、ここで、前記第１の測定結果レポートは、前記第１のデバイスのハンドオーバが必要であることを示し、前記移動元基地局に、Ｄ２Ｄハンドオーバ条件に従って、前記第１の測定結果レポートに基づいて前記ハンドオーバを開始するか、または、延期するかを判断させる、前記送信すること
を遂行させるように構成される、装置。
【請求項３４】
請求項３３に記載の装置であって、
前記送信することは、前記Ｄ２Ｄハンドオーバ条件を満たすと、前記第１の測定結果レポートを送信することを含む、装置。
【請求項３５】
請求項３３に記載の装置であって、
前記装置はさらに、前記移動元基地局からメッセージを受信すること、ここで、前記メッセージは、前記第１のデバイスに前記測定結果レポートの送信を制御するように指示する、前記受信すること
を遂行させられる、装置。
【請求項３６】
請求項３５に記載の装置であって、
前記メッセージは、前記測定結果レポートの送信をトリガするための前記Ｄ２Ｄハンドオーバ条件と；
前記測定結果レポートの送信を延期するための遅延時間と；
測定結果レポートの要求と；
のうちの一つまたは複数を含む、装置。
【請求項３７】
請求項３３から請求項３６のいずれかに記載の装置であって、
前記移動元基地局から、ターゲットセルまたはターゲット基地局にハンドオーバするハンドオーバ命令を受信すること、ここで、前記ターゲットセルまたは前記ターゲット基地局は、所定の基準に従って、少なくとも部分的に、前記第１の測定結果レポート及び前記Ｄ２Ｄクラスタの少なくとも１つの第２のデバイスから要求された測定結果レポートに基づいて、前記移動元基地局によって選択される、前記受信すること、
をさらに遂行させられる、装置。
【請求項３８】
請求項３７に記載の装置であって、
前記所定の基準は、信号条件と；
前記第１のデバイス及び前記少なくとも１つの第２のデバイスの、セルラーサービス及びＤ２Ｄサービス両方のサービス品質（ＱｏＳ）要件と；
前記第１のデバイス及び前記少なくとも１つの第２のデバイスの、セルラーサービス及びＤ２Ｄサービス両方のサービス優先度と；
のうちの少なくとも一つに基づく装置。
【請求項３９】
少なくとも一つのプロセッサと、コンピュータプログラムコードを含む少なくとも一つのメモリとを備える装置であって、前記プログラムコードが、前記少なくとも一つのプロセッサに実行されると、前記装置に、少なくとも、
セルラーハンドオーバ条件を満たすと、デバイス間（Ｄ２Ｄ）クラスタの第１のデバイスによって、Ｄ２Ｄハンドオーバ条件が満たされているか否かを判断することと；
前記Ｄ２Ｄハンドオーバ条件が満たされていると判断される場合、前記第１のデバイスによって、前記Ｄ２Ｄクラスタの少なくとも１つの第２のデバイスにセル測定命令を送信することと；
を遂行させるように構成される、装置。
【請求項４０】
請求項３９に記載の装置であって、
前記装置はさらに、
前記少なくとも１つの第２のデバイスから、少なくとも１つの第２の測定結果レポートを受信することと；
所定の基準に従い、前記第１のデバイス及び前記少なくとも１つの第２のデバイスのジョイントハンドオーバのための、最良のターゲットセルまたは最良のターゲット基地局を、少なくとも部分的に、前記少なくとも１つの第２の測定結果レポートに基づいて選択することと；
を遂行させられる、装置。
【請求項４１】
請求項３９に記載の装置であって、
前記装置はさらに、前記最良のターゲットセルまたは前記最良のターゲット基地局へのジョイントハンドオーバに失敗すると、前記所定の基準に従って、その次に最良なターゲットセルまたはその次に最良なターゲット基地局を、前記少なくとも１つの第２の測定結果レポートに基づいて選択すること、
を遂行させられる、装置。
【請求項４２】
請求項４０及び請求項４１のいずれかに記載の装置であって、
前記所定の基準は、信号条件と；
前記第１のデバイス及び前記少なくとも１つの第２のデバイスの、セルラーサービス及びＤ２Ｄサービス両方のサービス品質（ＱｏＳ）要件と；
前記第１のデバイス及び前記少なくとも１つの第２のデバイスの、セルラーサービス及びＤ２Ｄサービス両方のサービス優先度と；
のうちの少なくとも一つに基づく、装置。
【請求項４３】
少なくとも一つのプロセッサと、コンピュータプログラムコードを含む少なくとも一つのメモリとを備える装置であって、前記プログラムコードが、前記少なくとも一つのプロセッサに実行されると、前記装置に、少なくとも、
デバイス間（Ｄ２Ｄ）クラスタの第２のデバイスでセル測定命令を受信すること、ここで、前記セル測定命令はＤ２Ｄハンドオーバ条件を満たしている前記Ｄ２Ｄクラスタの第１のデバイスによってトリガされる、前記受信することと；
前記セル測定命令に応答して測定結果レポートを送信することと；
を遂行させるように構成される、装置。
【請求項４４】
請求項４３に記載の装置であって、前記装置はさらに、
ターゲットセルまたはターゲット基地局にハンドオーバするハンドオーバ命令を受信すること、ここで、前記ターゲットセルまたは前記ターゲット基地局は、所定の基準に従って、少なくとも部分的に、前記第２のデバイスの前記測定結果レポートに基づいて選択される、前記受信すること、
を遂行させられる、装置。
【請求項４５】
請求項４３及び請求項４４のいずれかに記載の装置であって、
前記セル測定命令は、前記第１のデバイスによって送信される、装置。
【請求項４６】
請求項４３及び請求項４４のいずれかに記載の装置であって、
前記セル測定命令は、基地局によって送信される、装置。
【請求項４７】
デバイス間（Ｄ２Ｄ）クラスタの第１のデバイスから、前記第１のデバイスのハンドオーバが必要であることを示す第１の測定結果レポートを受信する手段と；
Ｄ２Ｄハンドオーバ条件に従い、前記第１の測定結果レポートに基づいて前記ハンドオーバを開始するか、または、延期するかを判断する手段と；
を備える、装置。
【請求項４８】
デバイス間（Ｄ２Ｄ）クラスタの第１のデバイスによって、前記第１のデバイスの移動元基地局に第１の測定結果レポートを送信する手段、ここで、前記第１の測定結果レポートは、前記第１のデバイスのハンドオーバが必要であることを示し、前記移動元基地局に、Ｄ２Ｄハンドオーバ条件に従って、前記第１の測定結果レポートに基づいて前記ハンドオーバを開始するか、または、延期するかを判断させる、前記送信する手段を備える、装置。
【請求項４９】
セルラーハンドオーバ条件を満たすと、デバイス間（Ｄ２Ｄ）クラスタの第１のデバイスによって、Ｄ２Ｄハンドオーバ条件が満たされているか否かを判断する手段と；
前記Ｄ２Ｄハンドオーバ条件が満たされていると判断される場合、前記第１のデバイスによって、前記Ｄ２Ｄクラスタの少なくとも１つの第２のデバイスにセル測定命令を送信する手段と；
を備える装置。
【請求項５０】
デバイス間（Ｄ２Ｄ）クラスタの第２のデバイスでセル測定命令を受信する手段、ここで、前記セル測定命令はＤ２Ｄハンドオーバ条件を満たしているＤ２Ｄクラスタの第１のデバイスによってトリガされる、前記受信する手段と；
前記セル測定命令に応答して測定結果レポートを送信する手段と；
を備える、装置。
【請求項５１】
装置の処理手段に実行されると、前記装置に、請求項１から請求項２３のいずれかによる方法を遂行させるように構成されるコンピュータプログラムコードを備えるコンピュータプログラム。
【発明の詳細な説明】
【技術分野】
【０００１】
本発明の実施形態は、概して無線通信に関連する。より詳しくは、デバイス間（Ｄ２Ｄ）通信のハンドオーバのための方法、装置、コンピュータ可読記憶媒体、コンピュータプログラム製品に関する。
【背景】
【０００２】
本節は、本発明の良好な理解促進を手助けできる態様を紹介する。さらに、本節の記述は上記観点で読むことができ、何が従来技術であるか、または、何が従来技術でないかに関する承認として理解されることはできない。
【０００３】
現在、２台のユーザ機器（ＵＥ）が互いに近接して通信する場合、これらＵＥのデータ経路は通信事業者ネットワーク経由で進む。このタイプの通信のための典型的なデータ経路は、インフラ・セルラー・モード（infrastructure cellular mode）と称されうる。ここでは、進化型ノードＢ（eNB; evolved Node B）及び／またはゲートウェイ（GW(s)）が含まれる。
【０００４】
さらに、デバイス間（D2D）通信は、未来の無線通信システム−５Ｇ（第５世代）のための不可欠な要素の候補として、広く議論される。ＵＥが互いに近接している場合、これらＵＥは、ローカル経路またはダイレクト経路を使用することができる。
【０００５】
図１は、近接通信の状況を示す。この図１では、２台のＵＥがｅＮＢを介して、局所的に順路が決められた（最適化された）経路を使用して通信する。これを、局所的ルーテッドモード（locally-routed mode）と称することができる。図１に示すように、２台のＵＥ（UE1, UE2）及び２つのｅＮＢ（eNB1, eNB2）が図で示されている。２台のＵＥはｅＮＢ経由で通信し、これらＵＥは両方とも同一のｅＮＢによってサービスを提供されている。そして、このｅＮＢ（または、ネットワークの他のノード）を用いて制御情報を交換する。
【０００６】
図２は、別の近接通信の状況を示す。この図２では、２台のＵＥがダイレクト経路を使用して通信する。これを、ダイレクトモード（direct mode）と称することができる。図２に示すように、２台のＵＥ（UE1, UE2）及び２つのｅＮＢ（eNB1, eNB2）が図で示されている。２台のＵＥは、両者間にダイレクト経路を介して通信する。
【０００７】
Ｄ２Ｄ通信は低電力と、エンドユーザ間の高いデータレート通信を提供する。また、デバイス自体またはｅＮＢ（最適化された経路のための）での局所的プロセスに起因して、通信レイテンシが非常に短くなりうる。しかし、移動性により、ユーザ間に低レイテンシで信頼性の高い通信を常に提供できるわけではない。例えば移動性によって、Ｄ２Ｄペアの一方のＵＥが別のｅＮＢへのハンドオーバを必要とする場合、ｅＮＢ間に見込まれる非理想的なバックホール接続に起因して、進行中の遅延過敏なアプリケーションを維持するのが容易でない。
【０００８】
国際公開公報WO2011/109027A1には、Ｄ２Ｄハンドオーバのための方法が提供されている。本方法は、各Ｄ２Ｄデバイスを別々の基地局に接続させるマルチセルＤ２Ｄ構成を維持するより、むしろ両方のＤ２Ｄデバイスをハンドオーバさせる。
【摘要】
【０００９】
上記の問題の一つまたは複数により良く対処するため、本発明では、Ｄ２Ｄ通信のためのハンドオーバ・メカニズムを提案している。
【００１０】
本発明の第１の態様では、Ｄ２Ｄクラスタの第１のデバイスから、前記第１のデバイスのハンドオーバが必要であることを示す第１の測定結果レポートを受信することと；Ｄ２Ｄハンドオーバ条件に従って、前記第１の測定結果レポートに基づいて、前記ハンドオーバを開始するか、または、延期するかを判断することと；を含む方法が提供される。
【００１１】
いくつかの実施形態では、前記Ｄ２Ｄハンドオーバ条件を満たすと、前記第１の測定結果レポートが前記第１のデバイスによって送信される。
【００１２】
いくつかの実施形態では、前記ハンドオーバを開始することは、少なくとも１つの第２のデバイスの有効な測定結果レポートがない場合、前記Ｄ２Ｄクラスタの少なくとも１つの第２のデバイスからの、少なくとも１つの第２の測定結果レポートを要求することと；前記第１の測定結果レポートが失効していた場合、前記第１のデバイスからの有効な第１の測定結果レポートを要求することと；所定の基準に従って、前記第１のデバイス及び前記少なくとも１つの第２のデバイスのジョイントハンドオーバのための最良のターゲットセルまたは最良のターゲット基地局を、少なくとも部分的に、前記有効な第１の測定結果レポート及び前記少なくとも１つの測定結果レポートに基づいて選択することと；を含むことができる。
【００１３】
いくつかの実施形態では、前記方法はさらに、前記最良のターゲットセルまたは前記最良のターゲット基地局へのジョイントハンドオーバに失敗すると、前記所定の基準に従って、その次に最良なターゲットセルまたはその次にターゲット基地局を、前記有効な第１の測定結果レポート及び前記少なくとも１つの第２の測定結果レポートに基づいて選択することを含むことができる。
【００１４】
いくつかの実施形態では、前記所定の基準は、信号条件、前記第１のデバイス及び前記少なくとも１つの第２のデバイスの、セルラーサービス及びＤ２Ｄサービス両方のサービス品質（QoS）要件、並びに、前記第１のデバイス及び前記少なくとも１つの第２のデバイスの、セルラーサービス及びＤ２Ｄサービス両方のサービス優先度のうちの少なくとも一つに基づいている。
【００１５】
いくつかの実施形態では、前記ハンドオーバを延長することは、前記第１のデバイスにメッセージを送信すること、ここで、前記メッセージは、前記第１のデバイスに前記測定結果レポートの送信を制御するように指示する、前記送信することを含むことができる。
【００１６】
いくつかの実施形態では、前記メッセージは、前記測定結果レポートの送信をトリガするための前記Ｄ２Ｄハンドオーバ条件、前記測定結果レポートの送信を延期するための遅延時間、及び測定結果レポートの要求のうちの一つまたは複数を含むことができる。
【００１７】
いくつかの実施形態において、前記Ｄ２Ｄハンドオーバ条件は信号強度の閾値、信号品質の閾値、並びにセルラーサービス及びＤ２Ｄサービス両方のサービス品質（ＱｏＳ）の閾値のうちの少なくとも１つを含む。
【００１８】
いくつかの実施形態において、前記方法はさらに、前記ターゲット基地局または前記ターゲットセルが、前記Ｄ２Ｄクラスタ内の前記全てのデバイスのセルラーハンドオーバ条件を満たす場合、前記ターゲット基地局または前記ターゲットセルへの前記Ｄ２Ｄクラスタのジョイントハンドオーバを、前記判断に先立って開始することを含むことができる。
【００１９】
本発明の第２の態様では、デバイス間（Ｄ２Ｄ）クラスタの第１のデバイスによって、前記第１のデバイスの移動元基地局に第１の測定結果レポートを送信すること含む方法が提供される。上記第１の測定結果レポートは、前記第１のデバイスのハンドオーバが必要であることを示し、移動元基地局に、Ｄ２Ｄハンドオーバ条件に従って前記第１の測定結果レポートに基づいて前記ハンドオーバを開始するか、または、延期するかを判断させる。
【００２０】
いくつかの実施形態では、前記送信は、前記Ｄ２Ｄハンドオーバ条件を満たすと、前記第１の測定結果レポートを送信することを含む。
【００２１】
いくつかの実施形態では、前記方法はさらに、前記移動元基地局からメッセージを受信すること、ここで、前記メッセージは、前記第１のデバイスに前記測定結果レポートの送信を制御するように指示する、前記受信することを含むことができる。
【００２２】
いくつかの実施形態では、前記方法はさらに、ターゲットセルまたはターゲット基地局へのハンドオーバをするハンドオーバ命令を前記移動元基地局から受信することを含むことができる。前記ターゲットセルまたは前記ターゲット基地局は、所定の基準に従って、少なくとも部分的に、前記第１の測定結果レポート及び前記Ｄ２Ｄクラスタの少なくとも１つの第２のデバイスから要求された測定結果レポートに基づいて、前記移動元基地局によって選択される。
【００２３】
本発明の第３の態様では、セルラーハンドオーバ条件を満たすと、デバイス間（Ｄ２Ｄ）クラスタの第１のデバイスによって、Ｄ２Ｄハンドオーバ条件が満たされているかどうかを判断することと；前記Ｄ２Ｄハンドオーバ条件が満たされていると判断された場合、前記第１のデバイスによって、前記Ｄ２Ｄクラスタの少なくとも１つの第２のデバイスに、セル測定命令を送信することと；を含む方法が提供される。
【００２４】
いくつかの実施形態では、前記方法はさらに、少なくとも１つの第２のデバイスから少なくとも１つの測定結果レポートを受信することと；所定の基準に従い、前記第１のデバイス及び前記少なくとも１つの第２のデバイスのジョイントハンドオーバのための、最良のターゲットセルまたは最良のターゲット基地局を、少なくとも部分的に、前記少なくとも１つの第２の測定結果レポートに基づいて選択することと；を含む。
【００２５】
いくつかの実施形態では、前記方法はさらに、前記最良のターゲットまたは前記最良のターゲット基地局へのジョイントハンドオーバに失敗すると、前記所定の基準に従って、その次に最良なターゲットセルまたはその次に最良なターゲット基地局を、前記少なくとも１つの第２の測定結果レポートに基づいて選択することを含むことができる。
【００２６】
本発明の第４の態様では、デバイス間（Ｄ２Ｄ）クラスタの第２のデバイスでセル測定命令を受信すること含む方法が提供される。セル測定命令は、Ｄ２Ｄハンドオーバ条件を満たす前記Ｄ２Ｄクラスタの第１のデバイスによってトリガされる。前記方法はさらに、前記セル測定命令に応答して測定結果レポートを送信することを含む。
【００２７】
いくつかの実施形態では、前記方法はさらに、ターゲットセルまたはターゲット基地局へのハンドオーバをするハンドオーバ命令を受信することを含む。前記ターゲットセルまたはターゲット基地局は、所定の基準に従って、少なくとも部分的に、前記第２のデバイスの前記測定結果レポートに基づいて選択される。
【００２８】
いくつかの実施形態では、前記セル測定命令は前記第１のデバイスによって送信される。いくつかの実施形態では、前記セル測定命令は基地局によって送信される。
【００２９】
本発明の第５の態様によれば、少なくとも一つのプロセッサと、コンピュータプログラムコードを含む少なくとも一つのメモリとを備える装置が提供される。前記少なくとも一つのメモリ及び前記コンピュータプログラムコードは、少なくとも一つのプロセッサと共に、前記装置に、少なくとも、デバイス間（Ｄ２Ｄ）クラスタの第１のデバイスから、前記第１のデバイスのハンドオーバが必要であることを示す第１の測定結果レポートを受信することと；Ｄ２Ｄハンドオーバ条件に従って、前記第１の測定結果レポートに基づいて、前記ハンドオーバを開始するか、または、延期するかを判断することと；を遂行させるように構成されている。
【００３０】
本発明の第６の態様によれば、少なくとも一つのプロセッサと、コンピュータプログラムコードを含む少なくとも一つのメモリとを備える装置が提供される。前記少なくとも一つのメモリ及び前記プログラムコードが、前記少なくとも一つのプロセッサと共に、前記装置に、少なくとも、デバイス間（Ｄ２Ｄ）クラスタの第１のデバイスによって、前記第１のデバイスの移動元基地局に、第１の測定結果レポートを送信することを遂行させるように構成される。上記第１の測定結果レポートは、前記第１のデバイスのハンドオーバが必要であることを示し、移動元基地局に、Ｄ２Ｄハンドオーバ条件に従って前記第１の測定結果レポートに基づいて前記ハンドオーバを開始するか、または、延期するかを判断させる。
【００３１】
本発明の第７の態様によれば、少なくとも一つのプロセッサと、コンピュータプログラムコードを含む少なくとも一つのメモリとを備える装置が提供される。前記少なくとも１つのメモリ及び前記コンピュータプログラムコードは、前記少なくとも１つのプロセッサと共に、前記装置に、少なくとも、セルラーハンドオーバ条件を満たすと、デバイス間（Ｄ２Ｄ）クラスタの第１のデバイスによって、Ｄ２Ｄハンドオーバ条件が満たされているかどうかを判断することと；前記Ｄ２Ｄハンドオーバ条件が満たされていると判断された場合、前記第１のデバイスによって、前記Ｄ２Ｄクラスタの少なくとも１つの第２のデバイスに、セル測定命令を送信することと；を遂行させるように構成されている。
【００３２】
本発明の第８の態様によれば、少なくとも一つのプロセッサと、コンピュータプログラムコードを含む少なくとも一つのメモリとを備える装置が提供される。前記少なくとも一つのメモリ及び前記プログラムコードが、前記少なくとも一つのプロセッサと共に、前記装置に、少なくとも、デバイス間（Ｄ２Ｄ）クラスタの第２のデバイスでセル測定命令を受信することを遂行させるように構成される。前記セル測定命令は、Ｄ２Ｄハンドオーバ条件を満たす前記Ｄ２Ｄクラスタの第１のデバイスによってトリガされる。前記装置はさらに、前記セル測定命令に応答して測定結果レポートを送信することを遂行させられる。
【００３３】
本発明の第９の態様では、デバイス間（Ｄ２Ｄ）クラスタの第１のデバイスから、前記第１のデバイスのハンドオーバが必要であることを示す第１の測定結果レポートを受信する手段と；Ｄ２Ｄハンドオーバ条件に従って、前記第１の測定結果レポートに基づいて、前記ハンドオーバを開始するか、または、延期するかを判断する手段と；を備える装置が提供される。
【００３４】
本発明の第１０の態様では、デバイス間（Ｄ２Ｄ）クラスタの第１のデバイスによって、前記第１のデバイスの移動元基地局に第１の測定結果レポートを送信する手段を備える装置が提供される。上記第１の測定結果レポートは、前記第１のデバイスのハンドオーバが必要であることを示し、移動元基地局に、Ｄ２Ｄハンドオーバ条件に従って前記第１の測定結果レポートに基づいて前記ハンドオーバを開始するか、または、延期するかを判断させる。
【００３５】
本発明の第１１の態様では、セルラーハンドオーバ条件を満たすと、デバイス間（Ｄ２Ｄ）クラスタの第１のデバイスによって、Ｄ２Ｄハンドオーバ条件が満たされているかどうかを判断する手段と；前記Ｄ２Ｄハンドオーバ条件が満たされていると判断された場合、前記第１のデバイスによって、前記Ｄ２Ｄクラスタの少なくとも１つの第２のデバイスに、セル測定命令を送信する手段と；を含む装置が提供される。
【００３６】
本発明の第１２の態様では、デバイス間（Ｄ２Ｄ）クラスタの第２のデバイスでセル測定命令を受信する手段を備える装置が提供される。前記セル測定命令は、Ｄ２Ｄハンドオーバ条件を満たす前記Ｄ２Ｄクラスタの第１のデバイスによってトリガされる。前記装置はさらに、前記セル測定命令に応答して測定結果レポートを送信する手段を備える。
【００３７】
本発明の第１３の態様では、それが実行されると、本発明の第１の態様、第２の態様、第３の態様、第４の態様の実施形態のいずれか一つによる方法で、前記装置に動作を実行させるように構成されたコンピュータプログラムコードが記憶されたコンピュータ可読記憶媒体が提供される。
【００３８】
本発明の第１４の態様では、本発明の第１３の態様によるコンピュータ可読記憶媒体を備えるコンピュータプログラム製品が提供される。
【００３９】
本明細書に記載された内容の個々の実施形態は、以下に示す利点の一つまたは複数を理解するために実行されうる。
【００４０】
本明細書に記載された技術の個々の実施形態とともに、新しいハンドオーバ条件（いわゆる、Ｄ２Ｄハンドオーバ条件）がハンドオーバプロセスの中で紹介されている。Ｄ２Ｄハンドオーバ条件に従うと、通常のハンドオーバが引き延ばされる場合がある。このように、同一のＤ２Ｄクラスタ内にある全ＵＥを可能な限り同一のｅＮＢ下に置くことにより、Ｄ２Ｄ通信を介する遅延によって影響を受けるアプリケーションによるサービスが提供されることを可能にする。Ｄ２Ｄ通信のために提案されたハンドオーバ・メカニズムを用いることにより、操作制御を行うｅＮＢの数を可能な限り少なくした、効率的なＤ２Ｄ制御が達成されうる。さらに、提案されるハンドオーバ・メカニズムは、ｅＮＢを介する局所的に順路が決められたＤ２Ｄ経路の場合のみでなく、Ｄ２Ｄダイレクト経路にも適用されうる。
【００４１】
本発明の実施形態のその他の特徴や利点は、以下の具体的な実施形態の説明を添付図面と共に検討することになり理解されうるであろう。添付図面は本発明の実施形態の原理を例を用いて描いている。
【図面の簡単な説明】
【００４２】
本発明の様々な実施形態の、上記態様及び他の態様、特徴、並びに利益は、実例方法によって、下記の詳細な説明及び添付図面から、より十分に明らかになるであろう。
【００４３】
【図１】近接通信の状況を例示的に示す。この図１では、２台のＵＥがｅＮＢを介して、局所的に順路が決められた（最適化された）経路を使用して通信する。
【００４４】
【図２】別の近接通信の状況を例示的に示す。この図２では、２台のＵＥがダイレクト経路を使用して通信する。
【００４５】
【図３ａ】本発明の実施形態を適用する前の状況の一例を示す。
【００４６】
【図３ｂ】本発明の実施形態を適用した後の図３ａの状況の一例を示す。
【００４７】
【図４】本発明の一実施形態によるＤ２Ｄ強制ハンドオーバプロセス（triggered handover process）のための例示的なシグナリング図を示す。
【００４８】
【図５】本発明の別の実施形態によるＤ２Ｄ強制ハンドオーバプロセスのための例示的なシグナリング図を示す。
【００４９】
【図６】本発明のさらに別の実施形態によるＤ２Ｄ強制ハンドオーバプロセスのための例示的なシグナリング図を示す。
【００５０】
【図７】本発明の実施形態による基地局における方法の例示的フローチャートを示す。
【００５１】
【図８】本発明の実施形態によるＤ２Ｄクラスタの第１のデバイスにおける方法の例示的フローチャートを示す。
【００５２】
【図９】本発明の実施形態によるＤ２Ｄクラスタの第１のデバイスにおける方法の別の例示的フローチャートを示す。
【００５３】
【図１０】本発明の実施形態によるＤ２Ｄクラスタの第２のデバイスにおける方法の例示的フローチャートを示す。
【００５４】
【図１１】ユーザ機器の一例を示す。
【００５５】
【図１２】基地局の一例を示す。
【００５６】
異なるいくつかの図面における同様の参照番号及び記号表示は、同様の要素を意味する。
【詳細な説明】
【００５７】
以下、本発明の本質及び主旨が、具体例を参照して説明されるであろう。これら全ての実施形態は、当業者が本発明をよりよく理解し、実施するために提供されるにすぎず、本発明の範囲を限定するためのものではない。例えば、一実施形態の一部として図示または説明される特徴は、別の実施形態と共に使用されて、さらに追加的な実施形態をもたらすことができる。明瞭化のため、実施の全特徴は、本明細書に記載されない。
【００５８】
上述のように、本発明の実施形態は、Ｄ２Ｄのためのハンドオーバの仕組みを提供している。以下の説明では、提案されている仕組みが、図面に示された例示的実施形態に関して説明されるであろう。ｅＮＢを経由するＵＥ間の局所的ルーテッド経路（locally-routed path）のケースが、一例として取り上げられる。しかし、当業者であれば、上記提案されている仕組みは他のケース、例えば、ＵＥ間のダイレクト経路の場合及びセル選択の間のアイドルモードの場合等にも適用されうることが理解できるであろう。
【００５９】
図３ａは、本発明の実施形態を適用する前の状況の一例を示す。図示された状況には、それぞれ通信可能エリア（セルともいう）をサポートしている２つの基地局が存在する。基地局ＢＳ１及びＢＳ２は、その通信可能エリアにおいて、ＵＥ１及びＵＥ２のような無線機器と通信する能力を有している。説明のため、２台の移動電話機ＵＥ、２つの基地局（ＢＳ）、２つの通信可能エリアのみしか示されていないが、当業者であれは、異なる数のＵＥ、ＢＳ、通信可能エリアでも同様に実装可能であることは理解できるであろう。
【００６０】
いくつかの実施形態では、基地局ＢＳ１及びＢＳ２は、ロング・ターム・エボリューション（ＬＴＥ）規格を含む標準規格に準拠する進化型ノードＢ（eNB; evolved Node B）として実装されてもよい。基地局ＢＳ１及びＢＳ２は、電気電子技術者協会（IEEE;the Institute of Electrical and Electronic Engineers）の802.16標準規格と共に常に実装されてもよい。基地局ＢＳ１及びＢＳ２は、他の基地局、無線ネットワークコントローラ（RNC）、コアネットワーク、サービングゲートウェイその他これらに類する、他のネットワーク・ノードへの有線及び／または無線のバックホール・リンクを有することができる。
【００６１】
ユーザ機器ＵＥ１及びＵＥ２は、携帯電話及び／または固定電話であってよい。さらに、ユーザ機器ＵＥ１及びＵＥ２は、移動局や移動ユニット、加入者端末、無線端末、端末等と言い表されることができる。ユーザ機器ＵＥ１及びＵＥ２は例えば、無線ハンドヘルドデバイスや、無線プラグインアクセサリ等として実装されてもよい。例えばユーザ機器ＵＥ１及びＵＥ２は、移動電話機や、ネットワークへの無線接続手段を有するコンピュータ等の形態をとる場合もある。場合によっては、ユーザ機器は、少なくとも１つのプロセッサ、少なくとも１つのコンピュータ可読記憶媒体（メモリ，ストレージ等）、無線アクセスメカニズム、ユーザインタフェースのうちの一つまたは複数を含んでもよい。
【００６２】
図３ａに示すように、２台の移動電話機ＵＥが同一基地局（例えば、図示されているようなＢＳ１）に対して、同時にセル接続を有し、このセル接続は点線によって表されている。２台のＵＥはさらに、同一基地局（例えば、ＢＳ１）を介する、アクティブな最適化経路のＤ２Ｄ通信を有し、このＤ２Ｄ最適化経路は実線で表されている。例えば、ＵＥ１及びＵＥ２は、進行中のＤ２Ｄアプリケーションを有する。このＤ２Ｄアプリケーションは、大きな遅延が生じることが許されないアプリケーション（遅延過敏アプリケーション）であってもよい。ここで、使用される「Ｄ２Ｄクラスタ」という語句は、２台の端末ごとに、Ｄ２Ｄ通信を介する直接的または間接的な接続を有するデバイス群を意味する。
【００６３】
通常のハンドオーバ条件に加え、新しいハンドオーバ条件を紹介する。明瞭化と説明のため、通常のハンドオーバ条件を「セルラーハンドオーバ条件（cellular handover condition）」と称し、新たに紹介されるハンドオーバ条件を「Ｄ２Ｄハンドオーバ条件（D2D handover condition）」と称する。Ｄ２Ｄハンドオーバ条件は、信号強度の閾値、信号品質の閾値（例えば、信号対雑音比（ＳＮＲ）等）、セルラーサービス及びＤ２Ｄサービス両方のサービス品質（ＱｏＳ）の閾値のうちの少なくとも一つを含むことができる。
【００６４】
Ｄ２Ｄハンドオーバ条件は、ＢＳ及びＵＥ側での異なる指標に対応することができることに留意されたい。例えば、ＵＥ側では、リファレンスシグナル・レシーブド・クオリティ（RSRQ;reference signal received quality）が指標となりうるが、ネットワーク側では、チャネル・クオリティ・インジケータ（CQI;channel quality indicator）が指標となりうる。いくつかの実施形態では、Ｄ２Ｄハンドオーバ条件が、双方で同一の指標（例えば、RSRQ）を有することができる。
【００６５】
Ｄ２ＤクラスタにおけるＵＥの一つ（例えば、ＵＥ１）が、新規の基地局（例えば、図示のようにＢＳ２）に向かって移動し、この新規の基地局ＢＳ２に対して上記セルラーハンドオーバ条件を満たす場合、ネットワーク（例えば、ＢＳ１）は、信号条件（例えば、信号強度、信号品質等）が所定のＤ２Ｄハンドオーバ条件より悪くなるまで、通常のハンドオーバを引き延ばすことができる。しかし、Ｄ２Ｄクラスタにおける全デバイスが、同一のターゲット基地局または望ましくは同一のセルに対して上記セルラーハンドオーバ条件を満たす場合、追加的な遅延なく、ジョイントハンドオーバ（joint handover）をトリガさせることができる。（ここで、「基地局」とは、一つのサイトを構成する複数のセルを意味することがあることに注意。）このように、Ｄ２Ｄレイテンシは、最小限にとどめることができる。
【００６６】
代替的に、Ｄ２Ｄハンドオーバ条件は、全ＵＥまたはＤ２Ｄ適用可能（D2D-capable）な全ＵＥに報知され、または、専用のシグナリングを用いて特定のＵＥ（例えば、アクティブなＤ２Ｄ通信を有するＵＥ）に送信される。このＤ２Ｄハンドオーバ条件を使用して、ＵＥ１のハンドオーバは通常のハンドオーバの後にトリガされる。
【００６７】
ハンドオーバが必要な場合、換言すれば、Ｄ２Ｄハンドオーバ条件より信号条件が悪くなった場合、このことは、Ｄ２Ｄサービスが保証されない可能性があることを意味する。そして、処理過程で利用可能な測定結果レポートが存在しない場合、ネットワークは、同一のＤ２Ｄクラスタ内にある全デバイスからの測定結果を要求する。要求される測定結果は、ＵＥ１の元々のターゲット基地局またはターゲットセルのみを対象とせず、Ｄ２Ｄハンドオーバ条件より良好な信号条件を有する、ＵＥ１のその他の検出セルも対象とする。
【００６８】
上記測定結果を得た上で、ＢＳ１は最良の候補基地局または望ましくは単一セルへのジョイントハンドオーバを要求することができる。最良のターゲット基地局またはセルを選択する間、信号条件に加えて、サービス品質（ＱｏＳ）要件ならびにセルラーアプリケーション及びＤ２Ｄアプリケーション両方のサービス優先度が考慮されうる。
【００６９】
Ｄ２Ｄクラスタ内のデバイスに関する上記要求が受け付けられない場合（例えば、流入制御に起因して）、ハンドオーバ要求は、その次に最良な候補基地局または望ましくは単一セルに再送される。したがって、最終的に、Ｄ２Ｄクラスタ内のデバイスの最終的な行き先が、ＵＥ１の元々のターゲット基地局またはターゲットセルと異なる場合がある。
【００７０】
図３ｂは、本発明の実施形態を適用後（換言すると、ターゲット基地局への２台のＵＥのジョイントハンドオーバ後）の図３ａの例示的状況を示したものである。
【００７１】
図３ｂに示されているように、２台のＵＥは、本明細書で提案されるハンドオーバの仕組みに従って、ＢＳ２にハンドオーバされる。図３ｂでは、点線で示されたとおり、これら２台のＵＥが同時にＢＳ２に対してセルラー接続を有している。さらに、これら２台のＵＥは、実線で示されたとおり、ＢＳ２を介するアクティブな最適化経路のＤ２Ｄ通信を有している。すなわち、ハンドオーバの後、上記２台のＵＥは同一基地局下及び望ましくは同一セル内に再度とどまる。このようにして、Ｄ２Ｄ経路は、低レイテンシで信頼性の高い通信を提供し続けることができる。
【００７２】
本明細書で使用される「基地局」という語句は、単一セルを指す場合もあれば、複数のセルから成る１つのサイト（例えば、３セクタから成るサイト（a three-sector site））を指す場合もあることに留意すべきである。本発明の実施形態によると、レイテンシは、あるサイトを構成する複数のセルの間で十分に少なくなると考えられ、Ｄ２Ｄクラスタのデバイスを、同一基地局内に（及び望ましくは同一セル（または、セクタ）内に）とどまらせる場合がある。
【００７３】
ＵＥ間のダイレクト経路の場合にも、同一のＤ２Ｄクラスタ内にある全ＵＥが、可能な限り多く同一基地局にセルラー接続できるように、同様のハンドオーバが行われうる。ＵＥ間ダイレクト経路はｅＮＢによって制御されるため、上記のこともまた、ＵＥ間ダイレクト経路の手助けとなるであろう。
【００７４】
ＵＥがデュアルモード接続（dual mode connectivity）をサポートしている場合、セルラー接続（cellular connectively）及びＤ２Ｄによるハンドオーバは独立して管理されうることに注目すべきである。一方、単一セルを通じた並列アプリケーションのための無線リソース管理は、デュアルモード接続の場合、さらに容易かつ好ましいものでありうる。
【００７５】
さらに、間欠的なデータを送信するアプリケーションはいくつかありうるが、研究論文（例えば、3GPPの作業項目"LTE RAN Enhancements for Diverse Data Applications"）にあるように、場合によっては、セルラー接続（RRC_CONNECTED）がシグナリングの減少及び／または省電力を理由に解放される。この場合、デバイスが可能な限り同一サイトの下に留まるように、提案されるハンドオーバの仕組みがセル選択中のアイドルモードに対しても適用されうる。
【００７６】
このように、上記では本発明の実施形態による、提案されるハンドオーバの仕組みを簡単に説明した。ＵＥ２のハンドオーバはＵＥ１とのＤ２Ｄ通信に起因してトリガされることがわかる。よって、提案されるハンドオーバの仕組みは、Ｄ２Ｄ強制ハンドオーバ・メカニズム（D2D triggered handover mechanism）と呼ぶことができる。以下では、より詳しいハンドオーバプロセスがシグナリング図を参照して説明される。図では、シングルモード接続の場合に関する例示的なシグナリングが、説明のために提供されている。
【００７７】
図４は、本発明の一実施形態によるＤ２Ｄ強制ハンドオーバプロセスのための例示的なシグナリング図を示す。さらに、２台のＵＥ及び２つのＢＳが説明のために示されている。
【００７８】
ブロック４０１に示すように、ＵＥ１及びＵＥ２はＢＳ１に対して同時のセルラー接続を有する。さらに、ブロック４０２に示すように、ＵＥ１及びＵＥ２は、ＢＳ１経由の進行中の最適化Ｄ２Ｄ経路を有する。この最適化Ｄ２Ｄ経路によって、遅延過敏Ｄ２Ｄアプリケーションが使用中である。
【００７９】
ＢＳ１（いわゆる、移動元基地局）は、エリア限定情報に従うＵＥ１及びＵＥ２の測定手続きを構成している。測定構成には、測定対象、レポーティング構成（イベントまたは時期による測定トリガ、測定レポートコンテンツ等を含む）、測定識別情報、測定間隔等を含むことができる。イベントをトリガとする周期の測定結果レポートの基準は、例えば、ＬＴＥで定義されているＡ３がありうる。イベントＡ３は、近隣セルがサービス提供中のセルに対するオフセットより良好になったこと（いわゆる、セルラーハンドオーバ条件）である。
【００８０】
ＵＥ１が移動し、イベントをトリガとするレポーティング基準（いわゆる、ＬＴＥに記載されているＡ３等のセルラーハンドオーバ条件）を満たす場合、ステップ４０３において、ＵＥ１は、周期的に測定結果レポートを送信する等、その測定構成に従って移動元ＢＳ１に測定結果レポートを送信するであろう。測定結果レポートは、移動元基地局（ＢＳ１）、ターゲット基地局（例えば、ＢＳ２）、及び検出可能なあらゆるセルのリファレンスシグナル・レシーブド・クオリティ（RSRQ）、リファレンスシグナル・レシーブド・パワー（RSRP）等の測定結果を含むことができる。測定結果レポートは、別の基地局またはセル（例えば、ターゲット基地局ＢＳ２）へのＵＥ１のハンドオーバが必要であることを示す。
【００８１】
ＵＥ１からの測定結果レポートを受信すると、ＢＳ１は、Ｄ２Ｄハンドオーバ条件に従って、測定結果レポートに基づいてハンドオーバを開始するか、または、延期するかを判断することができる。ＵＥ１の信号条件がＤ２Ｄハンドオーバ条件より良好な場合、ステップ４０４において、ＢＳ１はＵＥ１のハンドオーバを延期することができる。
【００８２】
前述のとおり、Ｄ２Ｄハンドオーバ条件は、信号強度の閾値、信号品質の閾値（例えば、信号対雑音比（ＳＮＲ）等）、セルラーサービス及びＤ２Ｄサービス双方のサービス品質（ＱｏＳ）の閾値のうちの少なくとも一つを含むことができる。例えば、セルラー通信はヴォイップ（VoIP;voice over IP）用に使用することができ、一方、Ｄ２Ｄ通信はデータ送信のために使用することができる。上記セルラー通信とＤ２Ｄ通信とは、異なる優先順位とQoS要件とを有することができる。例えば、ハンドオーバの延期がセルラー通信によって提供される優先度の高いアプリケーションに影響を与えるおそれがある場合（換言すること、Ｄ２Ｄハンドオーバ条件を満たすこと）、ＢＳ１は、QoSを満足させるためにＵＥ１のハンドオーバを簡素化して開始することができる。
【００８３】
ＵＥ１のハンドオーバの延期を決定する場合、任意に、ステップ４０５において、ＢＳ１はＵＥ１にメッセージ（例えば、アクノリッジメント（Acknowledgement））を送信することができる。上記メッセージは、測定結果レポートの送信を制御するよう、ＵＥ１に指示する。いくつかの実施形態では、測定結果レポートの送信をトリガさせるために、ＵＥ１が、Ｄ２Ｄハンドオーバ条件をその後に使用できるよう、メッセージがＤ２Ｄハンドオーバ条件を含む場合がある。追加的または代替的に、上記メッセージは測定結果レポートの送信を延期するための遅延時間を含むことができる。ＵＥ１がＤ２Ｄハンドオーバ条件及び遅延時間を認識している場合、より早く生じるイベントが測定結果レポートの送信をトリガさせうる。システム構成によっては、ＵＥ１は、定期的な測定及びレポートを再度開始することができ、または、トリガイベントに応答して測定及びレポートを一回実行するだけの場合もある。このように、イベントによりトリガされるレポートのうち不要なものを回避することができる。
【００８４】
他の実施形態では、ＵＥ１の通常のセルラーハンドオーバが引き延ばされる一方、同一のＤ２Ｄクラスタ内の別のＵＥ（いわゆる、他のデバイス全て）が、ＵＥ１と同一のターゲット基地局または望ましくは同一のターゲットセルへのハンドオーバを望む場合、ＵＥ１の測定結果レポートのいずれもが利用可能でなければ（図示せず）、ＢＳ１は測定結果レポートの要求を含むメッセージをＵＥ１に送信することができる。このような場合、Ｄ２Ｄクラスタのジョイントハンドオーバは、さらなる遅延なく開始されうる。
【００８５】
さらにいくつかの他の実施形態では、しばらくして、例えば、現行の送信またはアップリンクの測定に関する、チャネル品質の指標またはいくつかの他の指標（例えば、サービス品質）によって、ＵＥ１の信号条件がＤ２Ｄハンドオーバ条件を満たすことを、ＢＳ１が認めた場合、ＵＥ１の測定結果レポートのいずれも利用可能でなければ（図示せず）、ＢＳ１は測定結果レポートの要求を含むメッセージをＵＥ１に送信することができる。
【００８６】
図４について説明を続ける。上記メッセージ（例えば、アクノリッジメント）を受信して、例えば、Ｄ２Ｄハンドオーバ条件及び／または遅延時間に基づいて、ＵＥ１は測定結果レポートの送信を制御することができる。一実施形態では、任意のステップ４０６において、Ｄ２Ｄハンドオーバ条件を満たすことに応じて、ＵＥ１はＢＳ１に測定結果レポートを送信する。前述のとおり、システム構成によっては、ＵＥ１は、定期的な測定及びレポートを再度開始することができ、または、トリガイベントに応答して測定及びレポートを一回実行するだけの場合もある。
【００８７】
その後、ＢＳ１はＵＥ１のハンドオーバを開始する決定をすることができ、ステップ４０７において、ＢＳ１はＤ２Ｄクラスタ内の他のＵＥからの測定結果レポートを要求することができる。特に、ステップ４０８において、これらＵＥの測定結果レポートに有効なものがない場合、Ｄ２Ｄクラスタ内の他のＵＥ（例えば、ＵＥ２）に対して測定結果要求を送信することができる。オプションで、ステップ４０９において、ＵＥ１からの先行の測定結果レポート（例えば、ステップ４０６で受信したもの）が失効していた場合、ＢＳ１はＵＥ１に測定結果要求を送信することができる。
【００８８】
ステップ４１０及びステップ４１１において、Ｄ２Ｄクラスタ内のデバイスからの有効な測定結果レポートを集めたのち、ステップ４１２において、ＢＳ１は最良のターゲットセルまたは最良のターゲット基地局を選択することができ、このターゲットセルまたはターゲット基地局に、Ｄ２Ｄクラスのデバイス（例えば、ＵＥ１及びＵＥ２）が所定の基準に従ってハンドオーバされる。
【００８９】
上記所定の基準は、信号条件（例えば、信号長、信号対雑音比（ＳＮＲ）等の信号品質）、Ｄ２Ｄクラスタのデバイスの、セルラーサービス及びＤ２Ｄサービス両方のサービス品質（QoS）要件、Ｄ２Ｄクラスタのデバイスの、セルラーサービス及びＤ２Ｄサービス両方のサービス優先順位のうちの少なくとも１つに基づくことができる。
【００９０】
ターゲットセルまたはターゲット基地局を選択した後、ステップ４１３において、ＢＳ１は、選択されたターゲット基地局（例えば、図４のＢＳ３）にＤ２Ｄクラスタのデバイス（例えば、ＵＥ１及びＵＥ２両方）に関するハンドオーバ（ＨＯ）要求を送信する。
【００９１】
ステップ４１４において、ターゲット基地局ＢＳ３はＵＥ１及びＵＥ２に対する流入制御を実行し、ステップ４１５において、移動元基地局ＢＳ１にハンドオーバ要求応答（例えば、承認）を送信する。上記の受信したハンドオーバ要求応答に基づき、移動元基地局ＢＳ１は、ステップ４１６及び４１７でそれぞれ、ＵＥ１及びＵＥ２にジョイントハンドオーバ命令を送信する。
【００９２】
ステップ４１８において、ＵＥ１及びＵＥ２はレイヤ１（Ｌ１）及び／又はレイヤ２（Ｌ２）を再構成し、ステップ４１９及びステップ４２０においてそれぞれ、ターゲット基地局ＢＳ３にハンドオーバ確認メッセージを送信する。
【００９３】
上記ハンドオーバの遂行は、Ｄ２Ｄクラスタに関する制御情報を除き、通常のハンドオーバと類似している。このＤ２Ｄクラスタに関する制御情報はさらに、移動元基地局ＢＳ１とターゲット基地局ＢＳ３との間で交換される。上記制御情報は、例えば、Ｄ２Ｄリンクに対する無線リソースの割当て、Ｄ２Ｄクラスタの識別情報（例えば、移動元基地局ＢＳ１及びターゲット基地局ＢＳ３両方に有効かつ共通であろう、新規、共通のＤ２Ｄのアール・エヌ・ティー・アイ（ＲＮＴＩ（radio network temporary identifier））を含むことができる。
【００９４】
ＢＳ３へのハンドオーバを行うと、ＵＥ１及びＵＥ２共にＢＳ３を介してセルラー接続を有することができる。さらに、ＵＥ１及びＵＥ２は、ＢＳ３を介してそれらのＤ２Ｄ局所的ルーテッド経路通信を継続することができる。本発明の実施形態によると、ＵＥ１及びＵＥ２は、両方同時にＢＳ３にハンドオーバされる。そのため、Ｄ２Ｄレイテンシは最小限に留めることができ、複数セルのＤ２Ｄ接続のスケジューリング及びシグナリングの負荷を軽減することができる。
【００９５】
いくつかのさらなる実施形態では、最良のターゲットセルまたは最良のターゲット基地局へのジョイントハンドオーバに失敗（例えば、流入制御に起因して）した場合、移動元基地局ＢＳ１は、その次に最良なターゲットセルまたはターゲット基地局を、所定の基準に従って有効な測定結果レポートに基づいて選択することができる。
【００９６】
図５は、本発明の別の実施形態によるＤ２Ｄ強制ハンドオーバプロセスのための例示的なシグナリング図を示す。図５に示す例において、図４に示された実施形態との唯一の違いは、セルラーハンドオーバ条件によってトリガされる測定結果レポートの送信を、ＵＥ１が自発的に延期することである。
【００９７】
図５のブロック５０１に示すように、ＵＥ１及びＵＥ２はＢＳ１に対して同時のセルラー接続を有する。さらに、ブロック５０２に示すように、ＵＥ１及びＵＥ２は、ＢＳ１経由の進行中の最適化Ｄ２Ｄ経路を有する。この最適化Ｄ２Ｄ経路によって、遅延過敏Ｄ２Ｄアプリケーションが使用中である。
【００９８】
Ｄ２Ｄハンドオーバ条件は、全ＵＥまたはＤ２Ｄ適用可能な全ＵＥに報知され、または、専用のシグナリング（図示せず）を用いて特定のＵＥ（例えば、アクティブなＤ２Ｄ通信を有するＵＥ）に送信される。このＤ２Ｄハンドオーバ条件を使用して、ＵＥ１のハンドオーバは通常のセルラーハンドオーバについて後にトリガされる。
【００９９】
続いて、ステップ５０３において、ＵＥ１は、上記Ｄ２Ｄハンドオーバ条件を満たしたことに応じて移動元基地局ＢＳ１に測定結果レポートを送信する。測定結果レポートは、移動元基地局（ＢＳ１）、ターゲット基地局（例えば、ＢＳ２）、及び検出可能なあらゆるセルの、リファレンスシグナル・レシーブド・クオリティ（RSRQ）、リファレンスシグナル・レシーブド・パワー（RSRP）等の測定結果を含むことができる。測定結果レポートは、別の基地局またはセル（例えば、ターゲット基地局ＢＳ２）へのＵＥ１のハンドオーバが必要であることを示す。
【０１００】
ＵＥ１からの測定結果レポートを受信すると、ＢＳ１はブロック５０４において、Ｄ２Ｄハンドオーバ条件に従って、ＵＥ１の信号条件がＤ２Ｄハンドオーバ条件より悪く、ＵＥ１のハンドオーバが必要であることを決定することができる。そして、ＢＳ１はＤ２Ｄクラスタ内の他のＵＥからの測定結果レポートを要求することができる。
【０１０１】
続くステップ５０５〜５１７は、図４のステップ４０８〜４２０と同一であるため、それらの説明はここでは省略する。
【０１０２】
図６は、本発明のさらに別の実施形態によるＤ２Ｄ強制ハンドオーバプロセスに関する例示的なシグナリング図を示す。図６に示す例示では、ハンドオーバはＵＥによって開始される（いわゆる、ＵＥの自律的シナリオにおいて）。
【０１０３】
図６のブロック６０１に示すように、ＵＥ１及びＵＥ２はＢＳ１に対して同時のセルラー接続を有する。さらに、ブロック６０２に示すように、ＵＥ１及びＵＥ２は、ＢＳ１経由の進行中の最適化Ｄ２Ｄ経路を有する。この最適化Ｄ２Ｄ経路によって、遅延過敏Ｄ２Ｄアプリケーションが使用中である。
【０１０４】
Ｄ２Ｄハンドオーバ条件は、全ＵＥまたはＤ２Ｄ適用可能な全ＵＥに報知され、または、専用のシグナリング（図示せず）を用いて特定のＵＥ（例えば、アクティブなＤ２Ｄ通信を有するＵＥ）に送信される。このＤ２Ｄハンドオーバ条件を使用して、ＵＥ１のハンドオーバは通常のセルラーハンドオーバについて後にトリガされる。
【０１０５】
そして、ステップ６０３において、Ｄ２Ｄハンドオーバ条件を満たすことに応じて、ＵＥ１は自身と同じＤ２Ｄクラスタ内にある他のＵＥ（例えば、ＵＥ２）に対して、セル測定命令／セル測定要求を送信する。
【０１０６】
ステップ６０４において、ＵＥ２からの測定結果レポートを受信したのち、ステップ６０５において、ＵＥ１は最良のターゲットセルまたは最良のターゲット基地局を選択することができ、このターゲットセルまたはターゲット基地局に、Ｄ２Ｄクラスタのデバイス（例えば、ＵＥ１及びＵＥ２）が所定の基準に従ってハンドオーバされる。
【０１０７】
前述のとおり、上記所定の基準は、信号条件（例えば、信号長、信号対雑音比（ＳＮＲ）等の信号品質）、Ｄ２Ｄクラスタのデバイスの、セルラーサービス及びＤ２Ｄサービス両方のサービス品質（QoS）要件、Ｄ２Ｄクラスタのデバイスの、セルラーサービス及びＤ２Ｄサービス両方のサービス優先順位のうちの少なくとも１つに基づくことができる。
【０１０８】
ターゲットセルまたはターゲット基地局を選択した後、ステップ６０６において、ＵＥ１は、移動元基地局ＢＳ１にＤ２Ｄクラスタのデバイス（例えば、ＵＥ１及びＵＥ２両方）に関するハンドオーバ（ＨＯ）要求を送信する。ハンドオーバ要求は、選択されたターゲットセルまたは選択されたターゲット基地局（例えば、図６のＢＳ３）へ、Ｄ２Ｄクラスタのハンドオーバを開始する。
【０１０９】
続くステップ６０７〜６１４は、図４のステップ４１３〜４２０と同一であるため、それらの説明はここでは省略する。
【０１１０】
図７は、本発明の実施形態による基地局における方法の例示的フローチャートを示す。
【０１１１】
ステップＳ７１０において、移動元基地局（例えば、図４〜５のＢＳ１）は、Ｄ２Ｄクラスタの第１のデバイス（例えば、図４〜５のＵＥ１）から、第１のデバイスのハンドオーバが必要であることを示す、第１の測定結果レポートを受信する。前述のとおり、第１の測定結果レポートは、セルラーハンドオーバ条件またはＤ２Ｄハンドオーバ条件によってトリガされうる。
【０１１２】
そして、Ｓ７２０において、移動元基地局は、Ｄ２Ｄハンドオーバ条件に従って第１の測定結果レポートに基づいてハンドオーバを開始するか、または、延期するかを判断する。
【０１１３】
第１のデバイスＵＥ１の信号条件がＤ２Ｄハンドオーバ条件より悪い場合、ステップＳ７３０において、ＢＳ１はＵＥ１のハンドオーバを直ちに開始することができる。一方、ＵＥ１の信号条件がＤ２Ｄハンドオーバ条件より良好な場合、ステップＳ７４０において、ＢＳ１はＵＥ１のハンドオーバを延期することができる。
【０１１４】
ＵＥ１のハンドオーバの開始時にＢＳ１は、Ｄ２Ｄクラスタ内の少なくとも１つの第２のデバイスからの測定結果レポートを要求することができる。少なくとも１つの第２のデバイスは、Ｄ２Ｄクラスタ内の第１のデバイス以外の他のいずれのデバイスでもよい。
【０１１５】
特にステップＳ７３１では、これらＵＥの測定結果レポートに有効なものがない場合、ＢＳ１は、Ｄ２Ｄクラスタ内の他のＵＥ（例えば、ＵＥ２）に測定結果要求を送信することができる。オプションで、ステップＳ７３２において、ＵＥ１からの先行の測定結果レポート（例えば、ステップＳ７１０で受信したもの）が失効していた場合、ＢＳ１はＵＥ１に測定結果要求を送信することができる。
【０１１６】
ステップＳ７３１及びＳ７３２において、Ｄ２Ｄクラスタ内の全デバイスからの有効な測定結果レポートを集めたのち、ステップ７３３において、ＢＳ１は最良のターゲットセルまたは最良のターゲット基地局を選択することができ、このターゲットセルまたはターゲット基地局に、Ｄ２Ｄクラスのデバイス（例えば、ＵＥ１及びＵＥ２）が所定の基準に従ってハンドオーバされる。
【０１１７】
ターゲットセルまたはターゲット基地局を選択した後、ＢＳ１は、選択されたターゲット基地局（図示せず）にＤ２Ｄクラスタのデバイス（例えば、ＵＥ１及びＵＥ２両方）に関するハンドオーバ（ＨＯ）要求を送信することができる。
【０１１８】
最良のターゲットセルまたは最良のターゲット基地局へのジョイントハンドオーバに失敗すると、移動元基地局ＢＳ１は所定の基準に従って、その次に最良なターゲットセルまたはターゲット基地局を、Ｄ２Ｄクラスタのデバイスの有効な測定結果レポートに基づいて選択することができる。
【０１１９】
ステップＳ７４０に戻って、ＢＳ１は、ＵＥ１のハンドオーバを延期する。
【０１２０】
いくつかの実施形態では、ＵＥ１の通常のセルラーハンドオーバが延期されている間、このＵＥ１が同一のターゲット基地局または望ましくは同一のターゲットセルへのハンドオーバを希望する場合、ＢＳ１はステップＳ７４１において、同一Ｄ２Ｄクラスタ内の他のＵＥから、測定結果レポートを受信することができる。そして、任意のステップＳ７４２において、ＵＥ１からの先行の測定結果レポートが失効していた場合、ＢＳ１はＵＥ１に測定結果レポートの要求を含むメッセージを送信することができる。
【０１２１】
Ｄ２Ｄクラスタが２台を超えるデバイスを含む、さらなる実施形態では、Ｄ２Ｄクラスタのジョイントハンドオーバは、Ｄ２Ｄクラスタ内の全デバイスの測定結果レポートに依存する場合がある。換言すると、ネットワークがＤ２Ｄクラスタ内の第１のデバイスのハンドオーバを延期することを決定する一方、このＤ２Ｄクラスタ内の他の全デバイスが同一のターゲット基地局、望ましくは同一のターゲットセルへのハンドオーバを希望する場合、さらなる遅延なくジョイントハンドオーバが開始されうる。そうでない場合、Ｄ２Ｄクラスタ内のデバイスの１つにおいて、Ｄ２Ｄハンドオーバ条件が満たされるまで、ジョイントハンドオーバは保留されるであろう。
【０１２２】
一方、ステップＳ７４１の有無に関わらず、任意のステップＳ７４２において、ＢＳ１はＵＥ１にメッセージを送信することができる。上記メッセージは、測定結果レポートの送信を制御するよう、ＵＥ１に指示する。
【０１２３】
一実施形態では、上記メッセージはアクノリッジ・メッセージの場合がある。いくつかの実施形態では、測定結果レポートの送信をトリガさせるために、ＵＥ１が、Ｄ２Ｄハンドオーバ条件をその後に使用できるよう、メッセージがＤ２Ｄハンドオーバ条件を含む場合がある。追加的または代替的に、上記メッセージは測定結果レポートの送信を延期するための遅延時間を含むことができる。ＵＥ１がＤ２Ｄハンドオーバ条件及び遅延時間を認識している場合、より早く生じるイベントが測定結果レポートの送信をトリガさせうる。システム構成によっては、ＵＥ１は、定期的な測定及びレポートを再度開始する場合があり、または、上記トリガイベントに応答して測定及びレポートを一回実行するだけの場合もある。このように、ＵＥ１による不要なイベントによってトリガされるレポートを回避することができる。
【０１２４】
さらに他の実施形態では、しばらくして、例えば、進行中の送信またはアップリンクの測定に関する、チャネル品質の指標またはいくつかの他の指標（例えば、サービス品質）によって、ＵＥ１の信号条件がＤ２Ｄハンドオーバ条件を満たすことを、ＢＳ１が認めた場合、ＵＥ１から受信した先行の測定結果レポートが失効していれば、ＢＳ１は、測定結果レポートを送信するためにこのメッセージを使用してＵＥ１に情報提供することができる。この場合、上記メッセージは測定結果レポートの要求を含む。
【０１２５】
その後、ステップＳ７４３において、ＢＳ１はＵＥ１から有効な測定結果レポートを（もしあれば）受信することができる。そして、本方法はステップＳ７２０に戻る。ステップＳ７２０でＢＳ１は、Ｄ２Ｄハンドオーバ条件に従い、有効な（いわゆる、新たに受信した）測定結果レポートに基づいてハンドオーバを開始するか、または、延期するかを決定する。代替的に、Ｄ２Ｄクラスタ内の他の全デバイスが同一のターゲット基地局またはセルにハンドオーバすることを希望することに応じて、測定結果レポートが受信された場合、ＢＳ１は、さらなる遅延なくターゲット基地局またはセルへＤ２Ｄクラスタのジョイントハンドオーバを開始することができる（図７に図示せず）。
【０１２６】
いくつかのさらなる実施形態では、ＵＥ１のハンドオーバを延期することに先立ち、Ｄ２Ｄクラスタ内の全デバイスの有効な測定結果レポートに基づいて、同一のターゲット基地局またはセルが存在することをＢＳ１が確認した場合、ＢＳ１はＤ２Ｄハンドオーバ条件に従う決定なしに、直ちにＤ２Ｄクラスタのジョイントハンドオーバを開始することができる。
【０１２７】
図８は、本発明の実施形態によるＤ２Ｄクラスタの第１のデバイスにおける方法の例示的フローチャートを示す。
【０１２８】
本方法はステップＳ８１０で開始し、ステップＳ８２０に続く。ステップＳ８２０で第１のデバイス（例えば、図４〜５に示すＵＥ１）が、この第１のデバイスの信号条件がセルラーハンドオーバ条件を満たすかどうか判断する。セルラーハンドオーバ条件を満たさない場合、第１のデバイスは自身の信号条件の監視を続行する。セルラーハンドオーバ条件を満たす場合、本方法は任意であるステップＳ８３０に進む。
【０１２９】
ステップＳ８３０で、第１のデバイスは自身の信号条件がＤ２Ｄハンドオーバ条件を満たすかどうか判断する。Ｄ２Ｄハンドオーバ条件を満たさない場合、第１のデバイスは自身の信号条件の監視を続行する。Ｄ２Ｄハンドオーバ条件を満たす場合、本方法はステップＳ８４０に進む。
【０１３０】
ステップＳ８４０で、第１のデバイスは、自身の移動元基地局（例えば、図４〜５のＢＳ１）に第１の測定結果レポートを送信する。上記第１の測定結果レポートは、第１のデバイスのハンドオーバが必要であることを示す。そして、上記第１の測定結果レポートによって、移動元基地局は、Ｄ２Ｄハンドオーバ条件に従って第１の測定結果レポートに基づいてハンドオーバを開始するか、または、延期するかを判断させられる。
【０１３１】
移動元基地局がハンドオーバを延期することを決定する場合、任意のステップＳ８５０において、メッセージが移動元基地局から受信される場合がある。上記メッセージは、第１のデバイスによる測定結果レポートの送信を制御するよう、この第１のデバイスに指示する。
【０１３２】
いくつかの実施形態では、上記メッセージはアクノリッジ・メッセージである。そして、このメッセージは、測定結果レポートの送信をトリガさせるために、ＵＥ１が、Ｄ２Ｄハンドオーバ条件をその後に使用できるよう、Ｄ２Ｄハンドオーバ条件を含むことができる。追加的または代替的に、上記メッセージは測定結果レポートの送信を延期するための遅延時間を含むことができる。
【０１３３】
いくつかの他の実施形態では、上記メッセージは測定結果レポートの要求を含む場合がある。例えば、第１のデバイスの通常のセルラーハンドオーバが引き延ばされている間、同一のＤ２Ｄクラスタ内の別のＵＥが、第１のデバイスと同一のターゲット基地局へのハンドオーバを希望する場合、有効な測定結果レポートを取得するため、移動元基地局によって上記メッセージが送信される場合がある。別の例示として、しばらくして、進行中の送信またはアップリンクの測定に関する、チャネル品質の指標またはいくつかの他の指標（例えば、サービス品質）によって、ＵＥ１の信号条件がＤ２Ｄハンドオーバ条件を満たすことを、ＢＳ１が認めた場合、ＢＳ１は、第１のデバイスからの測定結果レポートを要求するために上記メッセージを使用することができる。
【０１３４】
ステップＳ８５０で上記メッセージを受信すると、それに応じて第１のデバイスは自身による測定結果レポートの送信を制御することができる。移動元基地局がＤ２Ｄハンドオーバ条件に従って、有効な（いわゆる、新たに受信した）測定結果レポートに基づいてハンドオーバを開始するか延期するかを判断できるように、一旦、トリガイベントが生じると（例えば、Ｄ２Ｄハンドオーバ条件を満たす等）、遅延時間が満了するか、または、移動元基地局によって要求されて、第１のデバイスは移動元基地局に測定結果レポートを送信する（ステップＳ８６０）。
【０１３５】
その後、ステップＳ８７０において、移動元基地局がハンドオーバを開始することを決定した場合、第１のデバイスは移動元基地局からハンドオーバ命令を受信することができる。
【０１３６】
その後、第１のデバイスはハンドオーバを実行することができる。
【０１３７】
図９は、本発明の実施形態によるＤ２Ｄクラスタの第１のデバイスにおける方法の別の例示的フローチャートを示す。図９の方法は、図６に図示されたＵＥの自律的シナリオにおいて実装されうる。
【０１３８】
最初に数ステップ９１０〜９３０は、図８のステップ８１０〜８３０と同一であるため、それらの説明はここでは省略する。
【０１３９】
ステップＳ９４０において、Ｄ２Ｄハンドオーバ条件を満たすことに応じて、第１のデバイスは自身と同じＤ２Ｄクラスタ内の他のＵＥ（例えば、図６のＵＥ２）に対して、セル測定命令を送信する。
【０１４０】
ステップＳ９５０において、ＵＥ２からの測定結果レポートを受信したのち、ステップＳ９６０において、第１のデバイスであるＵＥ１は、最良のターゲットセルまたは最良のターゲット基地局を選択することができ、このターゲットセルまたはターゲット基地局に、Ｄ２Ｄクラスタのデバイス（例えば、ＵＥ１及びＵＥ２）が所定の基準に従ってハンドオーバされる。
【０１４１】
ターゲットセルまたはターゲット基地局が選択されると、ステップＳ９７０において、第１のデバイスであるＵＥ１がジョイントハンドオーバを開始することができる。特に、ＵＥ１は、移動元基地局ＢＳ１にＤ２Ｄクラスタのデバイス（例えば、ＵＥ１及びＵＥ２両方）に関するハンドオーバ（ＨＯ）要求を送信する。ハンドオーバ要求は、選択されたターゲットセルまたは選択されたターゲット基地局（例えば、図６のＢＳ３）へ、Ｄ２Ｄ２クラスタのハンドオーバを開始する。
【０１４２】
図１０は、本発明の実施形態によるＤ２Ｄクラスタの第２のデバイスにおける方法の例示的フローチャートを示す。Ｄ２Ｄクラスタにおいて、第１のデバイス（例えば、図４〜６のＵＥ１）及び第２のデバイス（例えば、図４〜６のＵＥ２）は、ＢＳ１に対して同時のセルラー接続を有し、ＢＳ１経由の進行中の最適化Ｄ２Ｄ経路を有している。そして、この最適化Ｄ２Ｄ経路により、遅延過敏Ｄ２Ｄアプリケーションが使用中である。
【０１４３】
ステップＳ１０１０において、第２のデバイス（例えば、ＵＥ２）はセル測定命令を受信する。セル測定命令は、Ｄ２Ｄハンドオーバ条件を満たす第１のデバイスによってトリガされる。
【０１４４】
一実施形態では、移動元基地局（例えば、図４〜５のＢＳ１）がＤ２Ｄハンドオーバ条件に従って、第１のデバイスから受信した測定結果レポートに基づいて第１のデバイスのハンドオーバを開始することを決定した場合、第１のデバイスの移動元基地局によって測定命令が送信される。
【０１４５】
他の実施形態では、第１のデバイスが自身の信号条件がＤ２Ｄハンドオーバ条件を満たしたと判断した場合、測定命令が第１のデバイスによって送信される。
【０１４６】
そして、セル測定命令を受信すると、ステップＳ１０２０で第２のデバイスであるＵＥ２が測定を実行する。
【０１４７】
ステップＳ１０３０では、第２のデバイスがセル測定命令の送信元に測定結果レポートを送信する。そして、この測定結果レポートの受信側は、このレポートを使用して所定の基準に従って、ターゲットセルまたはターゲット基地局を選択する。ターゲットセルまたはターゲット基地局の選択に関する詳細な説明は、移動元基地局及び第１のデバイスに関する先の説明を参照してもよい。
【０１４８】
最後に、第２のデバイスがジョイントハンドオーバ命令を受信し、それに応じてハンドオーバを実行することができる（図示せず）。
【０１４９】
このように上記では、シングルモード接続（a single mode connectivity）のケースに関する例示的シグナリングを説明した。別の一ケースとして、マルチ接続（multi connectivity）があり得る（例えば、デュアルモード）。今後、ＵＥは複数のセル及び／またはＢＳと接続される可能性がある。その場合、上記ＵＥは低レイテンシＤ２Ｄを可能にするために先行基地局でのＤ２Ｄ制御を維持することができるが、このＵＥはセルラー通信領域内の別の基地局にハンドオーバされる。一方、QoSが双方に対して十分に満たされている限り、上記最適ケースは、同一セル内のセルラー接続及びＤ２Ｄ制御の両方を維持するであろう。
【０１５０】
図１１は、ユーザ機器の一例を説明している。この一例は、図１〜６に示したユーザ機器ＵＥ１及びＵＥ２のうちの一台または複数台で実装される場合がある。ユーザ機器はアンテナ1120を備えてもよい。ユーザ機器は無線インタフェース1140を備えてもよい。無線インタフェース1140は、フィルタや（D/Aコンバータのような）変換器、シンボル・デマッパー（symbol demappaer）、逆高速フーリエ変換（IFFT）モジュール等の要素をさらに備えてもよく、ダウンリンクやアップリンクで搬送されるシンボル（OFDMAシンボル等）を処理する。いくつかの実施形態では、ユーザ機器は、IEEE 802.16, LTE, LTE-Advanced等に準拠するものであってもよい。ユーザ機器はさらにプロセッサ1130を備えてもよい。プロセッサ1130はユーザ機器を制御する。またプロセッサ1130は、メモリ1135に格納されるプログラムコードにアクセスしそれを実行する。
【０１５１】
さらに、ユーザ機器はコントローラ１１５０を備えてもよい。例えば、コントローラ1150は、本明細書に記載のＤ２Ｄ関連の仕組みのうちの一つまたは複数を実行することができる。そして、この仕組みは、測定を開始すること、測定結果レポートの送信を開始すること、その他これに類することを含む。
【０１５２】
図１２は、基地局1200の例を描いたものである。基地局1200は図１〜５に示された基地局ＢＳ１において実装されてもよい。基地局はアンテナ1220を備えてもよい。このアンテナ1220は、ダウンリンク、アップリンク、Ｄ２Ｄリンクを通じた送受信を行うように構成されている。基地局はまた、アンテナ1220に組み合わされる無線インタフェース1240や、プロセッサ1230を有する。プロセッサ1230は基地局を制御する。またプロセッサ1230は、メモリ1235に格納されるプログラムコードにアクセスしそれを実行する。無線インタフェース1240は、フィルタや（D/Aコンバータのような）変換器、マッパー（mapper）、高速フーリエ変換（FFT）モジュール等の要素をさらに備えてもよく、１又は複数のダウンリンクを通じて送信するシンボルを生成し、例えばアップリンクを通じてシンボルを受信する。ある実装例において、基地局は、IEEE 802.16やLTE、LTE-Advanced等に準拠するものであってもよい。ダウンリンクやアップリンクの無線周波数（RF）信号はOFDMA信号であってもよい。基地局はＤ２Ｄモジュール1250を備えてもよい。Ｄ２Ｄモジュール１２５０は、基地局、ｅＮＢ、及び／またはネットワークについて本明細書に記載されたＤ２Ｄの仕組みに関する事項を、送信、受信、及び／または制御することができる。
【０１５３】
本発明の実施形態はまた、図３〜６と併せて説明される各ステップを実行するための手段を備える装置を提供している。したがって、これら装置における各ユニットの詳細な動作は、図３〜６を参照する本発明の方法の前述の説明を参照されたい。
【０１５４】
本発明はまた、コンピュータプログラムコードが格納されたコンピュータ可読記憶媒体を提供する。このコンピュータプログラムは、その実行時、ある装置に本明細書で前述した方法で動作させるよう構成されている。さらに、本発明において提供されるコンピュータ可読記憶媒体を備えるコンピュータプログラム製品が提供される。
【０１５５】
本発明の例示的実施形態は、方法、装置（換言すると、システム）のブロック図、フローチャートを参照して、上記で説明されている。ブロック図及びフローチャートの各ブロック、ブロック図及びフローチャート内のブロックの組み合わせのそれぞれは、コンピュータプログラム命令を含む様々な手段によって実装されうる。これらのコンピュータプログラム命令は、汎用コンピュータ、専用コンピュータ、他のプログラム可能な処理装置にロードされて機械を構成する。すなわち、コンピュータまたはプログラム可能な処理装置で実行する命令は、フローチャートの（一つ以上の）ブロックにより特定される機能を実装するための手段を具現化する。
【０１５６】
前述のコンピュータプログラム命令は、例えば、サブルーチン及び／または関数であってもよい。本発明の一実施形態におけるコンピュータプログラム製品は、少なくとも一つのコンピュータ可読記憶媒体を備え、前述のコンピュータプログラム命令は、このコンピュータ可読記憶媒体上に記憶される。上記コンピュータ可読記憶媒体は、例えば、光学的なコンパクトディスク、または、ＲＡＭ（random access memory）若しくはＲＯＭ（read only memory）のような電子的なメモリデバイスでもよい。
【０１５７】
本明細書には特定の実施詳細が多く含まれているが、これらは、あらゆる実装または請求項の記載の範囲を限定するものとして解釈されるべきでない。むしろ、特定の実装の特定の実施形態に特有な特徴の説明として解釈されるべきである。個々の実施形態のコンテキストにおいて、本明細書で説明されるいくつかの特徴もまた、単独の実施形態における組み合わせで実現されうる。反対に、単独の実施形態のコンテキストに記載されている様々な特徴は、複合的な実施形態で別々に実現され、または、あらゆる適切なサブコンビネーションで実現されうる。さらに、いくつかの組み合わせでの作用、さらに最初に請求項に記載されたものそれ自体での作用として、特徴が前述されている場合がある。しかし、請求項に記載されたものの組み合わせからの一つ又は複数の特徴は、場合によっては、その組み合わせから除外される可能性がある。そして、この請求項に記載されたものの組み合わせは、サブコンビネーションまたはサブコンビネーションのバリエーションを対象としうる。
【０１５８】
前述の実施形態は本発明を限定するものではなく、本発明を説明するために提供されたものであることにも留意すべきである。また、変更及び変化は、当業者が容易に理解するよう、本発明の主旨及び範囲を逸脱することなく適用されることを理解されたい。上記のような変更や変化は、本発明及び添付の請求項の範囲内であると考えられる。本発明の保護範囲は、添付の請求項によって定義される。さらに、請求項における参照番号のいずれも、当該請求項を限定するものとして解釈されるべきではない。
【図１】
2016513892.tif 000003
【図２】
2016513892.tif 000004
【図３ａ】
2016513892.tif 000005
【図３ｂ】
2016513892.tif 000006
【図４】
2016513892.tif 000007
【図５】
2016513892.tif 000008
【図６】
2016513892.tif 000009
【図７】
2016513892.tif 000010
【図８】
2016513892.tif 000011
【図９】
2016513892.tif 000012
【図１０】
2016513892.tif 000013
【図１１】
2016513892.tif 000014
【図１２】
2016513892.tif 000015
【国際調査報告】
2016513892.tif 000016
2016513892.tif 000017